(57)【要約】【課題】製品寸法のバラつきの発生を抑制し、接着剤塗布の設備を不要として、接着工程も不要で、リサイクル性を向上させること。【解決手段】芯材７の平面部に複数の両面テープ８を介してクッション９を接着固定する。次に、表皮材１０を芯材７の片面及び一方の斜辺端部を包むように配置して、芯材７の各取付片１１を表皮材１０の折返し片１９に開設された挿通口２０に挿通した状態で、引掛け爪１２の引掛け部１２Ａに嵌合片２３の端部を係止させると共にこの嵌合片２３を芯材７の開口１３に嵌合させる。また、表皮材１０の底辺に形成された各掛止め片２７を芯材７の各挿通口１５に挿通して、各係止部材２６を芯材７の一対の保持爪１４間に順次嵌合させる。そして、抜止部１７Ａにより掛止め片２７が芯材７より外れるのが防止される状態で掛止め片２７と抜止め片１７とを係止させる。【選択図】図５
2013233835.tif 000002
【特許請求の範囲】
【請求項１】
車体に取付けられる車体側取付体に固定される芯材と、軟質の合成樹脂の射出成形により作製されクッションを介在させて前記芯材の端部をその折返し片が包むようにした状態で前記芯材に固定される表皮材とから成ることを特徴とする自動車の内装を構成する表皮巻き込み部品。
【請求項２】
車体に取付けられる車体側取付体に固定される芯材と、軟質の合成樹脂の射出成形により作製されクッションを介在させて前記芯材の端部をその折返し片が包むようにした状態でその固定部が前記芯材の固定部に結合して前記芯材に固定される表皮材とから成ることを特徴とする自動車の内装を構成する表皮巻き込み部品。
【発明の詳細な説明】
【技術分野】
【０００１】
本発明は、自動車の内装を構成する表皮巻き込み部品に関するものである。
【背景技術】
【０００２】
この種の表皮巻き込み部品は、運転者等の下肢等が衝突した際の衝撃を緩和するためのニーパッド等や、自動車用アームレスト等の自動車における表皮巻き込み部品は、例えば特許文献１に開示されている。
【０００３】
一般に、前述した表皮巻き込み部品は基材と表皮材とから構成され、前記基材を射出成形して、その表面に接着剤を塗布し、他方前記表皮材は原反を切断してその裏面に接着剤を塗布し、作業者が前記基材に前記表皮材を接着させた状態で前記基材に前記表皮材の端末部を巻き込んで作製する。
【先行技術文献】
【特許文献】
【０００４】
【特許文献１】特開２０１２−１１９３９号公報
【発明の概要】
【発明が解決しようとする課題】
【０００５】
しかし、前記表皮材の端末部の巻き込みは、手作業で行うため、製品寸法にバラつきが発生し、前記表皮材の原反の切断や接着剤塗布の設備が必要で、接着工程も熟練を要する。更に、不良が発生した場合に、接着剤を使用しているので、リサイクル性が悪いという問題がある。
【０００６】
そこで本発明は、製品寸法のバラつきの発生を抑制し、接着剤塗布の設備を不要として、接着工程も不要で、リサイクル性を向上させることを目的とする。
【課題を解決するための手段】
【０００７】
このため、自動車の内装を構成する表皮巻き込み部品に係る第１の発明は、車体に取付けられる車体側取付体に固定される芯材と、軟質の合成樹脂の射出成形により作製されクッションを介在させて前記芯材の端部をその折返し片が包むようにした状態で前記芯材に固定される表皮材とから成ることを特徴とする。
【０００８】
また、自動車の内装を構成する表皮巻き込み部品に係る第２の発明は、車体に取付けられる車体側取付体に固定される芯材と、軟質の合成樹脂の射出成形により作製されクッションを介在させて前記芯材の端部をその折返し片が包むようにした状態でその固定部が前記芯材の固定部に結合して前記芯材に固定される表皮材とから成ることを特徴とする。
【発明の効果】
【０００９】
本発明によれば、製品寸法のバラつきの発生を抑制し、接着剤塗布の設備を不要として、接着工程も不要で、リサイクル性を向上させることができる。
【図面の簡単な説明】
【００１０】
【図１】インストルメントパネルの斜視図である。
【図２】ニーパッドの分解斜視図である。
【図３】芯材を裏面側から見た斜視図である。
【図４】表皮材を裏面側から見た斜視図である。
【図５】ニーパッドを裏面側から見た斜視図である
【図６】図５のＡ−Ａ断面図である。
【図７】表皮材の折返し片の内側片の開口内に芯材の引掛け爪を嵌合させる前の状態のニーパッドの一方の斜辺における要部斜視図である。
【図８】表皮材の折返し片の内側片の開口内に芯材の引掛け爪を嵌合させて引掛け爪の引掛け部に嵌合片の端部を係止させると共にこの嵌合片を芯材の開口に嵌合させた状態の要部斜視図である。
【図９】図５のＢ−Ｂ断面図である。
【図１０】表皮材の底辺に形成された各掛止め片を芯材の各挿通口に挿通させた状態のニーパッドの底辺の要部斜視図である。
【図１１】表皮材の折返し片に形成された係止部材を芯材の一対の保持爪間に順次嵌合させる動作を示すものでニーパッドの一方の斜辺における要部斜視図である。
【図１２】表皮材の底辺に形成された掛止め片が芯材より外れるのが防止される状態で掛止め片と抜止め片とが係止した状態のニーパッドの底辺の要部斜視図である。
【図１３】インストルメントパネルにニーパッドを取付けた状態を示す図１のＣ−Ｃ断面相当図である。
【発明を実施するための形態】
【００１１】
以下、図１乃至図１３に基づき、自動車における内装を構成する表皮巻き込み部品として、アームレストやニーパッド等があるが、ここではニーパッドを例として、以下説明する。図１に示すように、車両室内の前部に配設される車体側取付体であるインストルメントパネル１は短い繊維を充填したフィラ充填ポリプロピレン樹脂などの射出成形により形成されて車体に直接取付けられるインパネ本体２と、カーオーディオ等を備えて前記インパネ本体２に固定されるパネルインストロアー３などから構成される。また、このインストルメントパネル１には、複数の空調用の吐出口４が形成される。
【００１２】
このインストルメントパネル１を構成する前記パネルインストロアー３の両側面には、表皮巻き込み部品であるニーパッド５がそれぞれ取り付けられる。このニーパッド５は、運転者、搭乗者（助手席の）の膝の外側（下肢等）が衝突した際の衝撃を緩和するためのものである。
【００１３】
次に、前記パネルインストロアー３の右側面に取付けられる前記ニーパッド５について説明すると、先ずこのニーパッド５は大きく分けて、図２に示すように、前記インストルメントパネル１に固定される概ね三角形を呈する基材である芯材７と、例えば軟質ウレタンフォーム製の前記芯材７の平面部に複数の両面テープ８を介して接着固定されて仮止めされるクッション９と、このクッション９が取り付けられた状態の芯材７の片面及び端部を包むようにこの芯材７に取り付け固定される表皮材１０とから構成される。
【００１４】
次に、前記芯材７を裏面側から見た斜視図である図３に基づいて、硬質性を有する合成樹脂材料で射出成形により作製される芯材７について説明する。先ず、概ね三角形を呈する前記芯材７の一方の斜辺には、３つの取付片１１が所定間隔を存して外方へ延びて突出されており、この各取付片１１の内側上部には引掛け爪１２及びこの引掛け爪１２に隣接して開口１３がそれぞれ形成されており、前記引っ掛け爪１２の内側端部は前記開口１３内に突出している。
【００１５】
また、概ね三角形を呈する前記芯材７の他方の斜辺にはそれぞれ対向するように配置され先端部の間隔が狭くなるように膨出部１４Ａを備えた一対の保持爪１４が４対設けられ、更に前記芯材７の底辺には２つの挿通口１５及びこの芯材７の段差面７Ａから突出して内側に抜止部１７Ａを備えた抜止め片１７が形成されている。
【００１６】
なお、前記クッション９はソフトな弾力感を実現して、衝撃を緩和するためのもので、前記ニーパッド５の中間層としての役割を果たし、材質を変更することにより、好みの手触り感を実現できる。また、前記表皮材１０はその材質が軟質性、弾性を有する合成樹脂材料、例えば熱可塑性エラストマーの一つである熱可塑性ポリオレフィン樹脂（ＴＰＯ）で、射出成形により作製される。
【００１７】
この熱可塑性ポリオレフィン樹脂（ＴＰＯ）は、耐候性に優れ、比重が約０．９と小さくて軽く、熱可塑性樹脂であるためリサイクルが容易で、顔料を混ぜることで着色できるため装飾性に優れるなどの種々の効果があります。なお、前記表皮材１０は、この熱可塑性ポリオレフィン樹脂（ＴＰＯ）に限らず、その他の材料、例えばスチレン系エラストマー、塩化ビニル樹脂（ＰＶＣ）などでもよい。
【００１８】
このように、前記表皮材１０を射出成形により作製したから、原反を切断するものとは異なり、この表皮材１０の形状が一定で安定しており、また前記表皮材の端末部の巻き込みを手作業で行なわないから形状のバラつきが抑制できる。また、射出成形により作製するから、エッチングにより容易にシボ加工を施すこともで、デザイン性に富んだ表皮形状とすることもできる。
【００１９】
前記表皮材１０を裏面側から見た斜視図である図４において、概ね三角形を呈する前記表皮材１０の一方の斜辺には前記芯材７の対応する斜辺の端部（端末部）を外側から包むような空間を形成するように外側片１９Ａと内側片１９Ｂを備えた折返し片１９が形成される。
【００２０】
そして、この折返し片１９の前記外側片１９Ａには、前記芯材７の各取付片１１が挿通する挿通口２０がそれぞれ開設され、また前記内側片１９Ｂには前記芯材７の前記引掛け爪１２が嵌合する開口２２が形成され、更にこの開口２２に隣接して前記芯材７の前記開口１３に嵌合すると共に前記引掛け爪１２が前記開口２２に嵌合した際にこの引掛け爪１２端部の引掛け部１２Ａに係止する嵌合片２３が形成される。
【００２１】
前記表皮材１０の他方の斜辺には、前記芯材７の対応する斜辺の端部（端末部）を外側から包むような空間を形成するように折返し片２５が形成される。そして、この折返し片２５には、前記芯材７の前記一対の保持爪１４間に嵌合した際に各抜止め部２６Ａにより抜けが防止される４つの係止部材２６が内方に向けて突出形成される。
【００２２】
また、前記表皮材１０の底辺には、下方（外方）に突出した２つの掛止め片２７が形成され、この掛止め片２７の中間部位には内側に向けて係止部２７Ａが突出されている。
【００２３】
なお、この表皮材１０には、三角形の外形の形状に沿って、即ち他方の斜辺及び底辺に沿って糸１６を縫うことによって、皮革製品であるかのような見映えとなり、優しい印象を与えるものとなる。
【００２４】
次に、前記ニーパッド５をインストルメントパネル１へ取り付ける前に、初めにニーパッド５を裏面側から見た斜視図である図５に示すように組み立てるニーパッド５の組み立て動作について説明する。先ず、前記芯材７の平面部に複数の前記両面テープ８を介して前記クッション９を接着固定して、前記芯材７に前記クッション９を仮止めする。
【００２５】
次に、前記表皮材１０を前記芯材７の片面及び一方の斜辺端部（斜辺端末部）を包むように配置して、前記クッション９が仮止めされた前記芯材７の各取付片１１を前記表皮材１０の前記折返し片１９の前記外側片１９Ａに開設された前記挿通口２０に挿通する（図５のＡ−Ａ断面図である図６参照）。
【００２６】
そして、以上のように挿通した状態で、作業者が前記内側片１９Ｂの前記嵌合片２３を摘み上げて（図７参照）、次いで前記内側片１９Ｂの開口２２内に前記芯材７の前記引掛け爪１２を嵌合させて、前記内側片１９Ｂを下方へ押圧して、一方の固定部であるこの引掛け爪１２の引掛け部１２Ａに他方の固定部である前記嵌合片２３の端部を係止させると共にこの嵌合片２３を前記芯材７の前記開口１３に嵌合させる（図８及び図９参照）。これにより、前記芯材７と前記表皮材１０とが、それらの一方の斜辺において、確実に固定されることとなる。
【００２７】
また、図１０に示すように、前記表皮材１０の底辺に形成された各掛止め片２７を前記芯材７の各挿通口１５に挿通する。次いで、作業者は前記表皮材１０の折返し片２０に形成された係止部材２６を摘んで、この一方の固定部である各係止部材２６を前記芯材７の他方の固定部である前記各一対の保持爪１４間に順次嵌合させると（図１１の下の係止部材２６の状態から上の係止部材２６の状態のように）、前記係止部材２６の抜止め部２６Ａにより前記保持爪１４からの前記係止部材２６の抜けが防止される。これにより、前記芯材７と前記表皮材１０とが、それらの他方の斜辺において、確実に固定されることとなる。
【００２８】
そして、図１２に示すように、前記芯材７の各挿通口１５に挿通させた状態の前記表皮材１０に形成された各掛止め片２７下部を一旦左方向へ揺動させてから、矢印方向へ移動させて一方の固定部である前記抜止め片１７と前記芯材７との間に他方の固定部である各掛止め片２７を位置するようにし、その抜止部１７Ａにより前記掛止め片２７が前記芯材７より外れるのが防止される状態で前記掛止め片２７と前記抜止め片１７とが係止する。これにより、前記芯材７と前記表皮材１０とが、それらの底辺において、確実に固定されることとなる。
【００２９】
このようにして、前記芯材７、前記クッション９及び前記表皮材１０が組み立て固定されて、前記ニーパッド５の組み立てが終了するが、同様に前記パネルインストロアー３の右側面に取付けられる前記ニーパッド５も組み立てる。そして、図１３に示すように、車両室内の前部に配設された車体側取付体であるインストルメントパネル１を構成する前記パネルインストロアー３の左右の両側面に形成された取付口３０に前記芯材７の各取付片１１を挿通して、前記各ニーパッド５はそれぞれ固定される。
【００３０】
以上の実施形態によれば、作業者による表皮材の巻込み作業を容易にして熟練を要しないものとすると共に、製品寸法のバラつきの発生を抑制し、接着剤塗布の設備を不要として、接着工程も不要で、リサイクル性を向上させ環境に優しい自動車の内装を構成するニーパッドなどの表皮巻き込み部品を提供することができる。
【００３１】
なお、以上の実施形態は、自動車の内装を構成する表皮巻き込み部品としてニーパッドを例として説明したが、これに限らず、本発明は同じく車体に取付けられる車体側取付体であるアームレスト取付体に固定される自動車用アームレストなどにも適用できる。
【００３２】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００３３】
１          インストルメントパネル
７          芯材
８          両面テープ
９          クッション
１０        表皮材
１１        取付片
１２        引掛け爪
１４        保持爪
１５        挿通口
１７        抜止め片
１９        折返し片
２０        挿通口
２３        嵌合片
２７        掛止め片
【図１】
2013233835.tif 000003
【図２】
2013233835.tif 000004
【図３】
2013233835.tif 000005
【図４】
2013233835.tif 000006
【図５】
2013233835.tif 000007
【図６】
2013233835.tif 000008
【図７】
2013233835.tif 000009
【図８】
2013233835.tif 000010
【図９】
2013233835.tif 000011
【図１０】
2013233835.tif 000012
【図１１】
2013233835.tif 000013
【図１２】
2013233835.tif 000014
【図１３】
2013233835.tif 000015